(57)【特許請求の範囲】
【請求項１】
対象物に貼り付けられるフィルムが載置され、前記フィルムを介して前記対象物と対向されるメッシュと、
前記メッシュに対する前記対象物と反対側に配置され、前記フィルムを前記対象物に押付ながら前記フィルムの一端側から他端側に相対移動し、前記フィルムを前記対象物に貼り付ける押付部材と、
前記メッシュに対する前記対象物と反対側の空間を、前記押付部材と共に前記押付部材の相対移動方向に区画する区画部材と、
前記空間のうち前記押付部材及び前記区画部材に対する前記他端側に位置する空間の空気を吸引する吸引部と、
を備えるフィルム貼付装置。
【請求項２】
前記メッシュに対する前記対象物と反対側に配置されると共に、前記メッシュが張設された開口を有し、かつ、前記押付部材及び前記区画部材を収容するケースをさらに備える、
請求項１に記載のフィルム貼付装置。
【請求項３】
前記ケースは、前記開口と対向する底面、及び、前記押付部材の相対移動方向に延びる一対の側面を有し、
前記押付部材及び前記区画部材における前記底面及び前記一対の側面との対向面は、前記底面及び前記一対の側面にそれぞれ接触されるか、又は、近接されている、
請求項２に記載のフィルム貼付装置。
【請求項４】
前記区画部材は、前記押付部材と共に相対移動する、
請求項１〜請求項３のいずれか一項に記載のフィルム貼付装置。
【請求項５】
対象物に貼り付けられるフィルムをメッシュに載置すると共に、前記フィルムを介して前記メッシュと前記対象物とを対向させ、
前記メッシュを通じて空気を吸引して前記フィルムを前記メッシュに吸着させ、
前記メッシュに対する前記対象物と反対側に配置された押付部材で前記フィルムを前記対象物に押付ながら前記押付部材を前記フィルムの一端側から他端側に相対移動させて、前記フィルムを前記対象物に貼り付けると共に、前記押付部材によって前記フィルムを前記対象物に貼り付けるときに、前記メッシュに対する前記対象物と反対側の空間を、前記押付部材と共に区画部材で前記押付部材の相対移動方向に区画し、前記空間のうち前記押付部材及び前記区画部材に対する前記他端側に位置する空間の空気を吸引することを含む、
フィルム貼付方法。
【請求項６】
情報処理装置の表示部に貼り付けられるフィルムが載置され、前記フィルムを介して前記表示部と対向されるメッシュと、
前記メッシュに対する前記表示部と反対側に配置され、前記フィルムを前記表示部に押付ながら前記フィルムの一端側から他端側に相対移動し、前記フィルムを前記表示部に貼り付ける押付部材と、
前記メッシュに対する前記表示部と反対側の空間を、前記押付部材と共に前記押付部材の相対移動方向に区画する区画部材と、
前記空間のうち前記押付部材及び前記区画部材に対する前記他端側に位置する空間の空気を吸引する吸引部と、
を備える、
情報処理装置の製造装置。
【請求項７】
情報処理装置の表示部に貼り付けられるフィルムをメッシュに載置すると共に、前記フィルムを介して前記メッシュと前記表示部とを対向させ、
前記メッシュを通じて空気を吸引して前記フィルムを前記メッシュに吸着させ、
前記メッシュに対する前記表示部と反対側に配置された押付部材で前記フィルムを前記表示部に押付ながら前記押付部材を前記フィルムの一端側から他端側に相対移動させて、前記フィルムを前記表示部に貼り付けると共に、前記押付部材によって前記フィルムを前記表示部に貼り付けるときに、前記メッシュに対する前記表示部と反対側の空間を、前記押付部材と共に区画部材で前記押付部材の相対移動方向に区画し、前記空間のうち前記押付部材及び前記区画部材に対する前記他端側に位置する空間の空気を吸引することを含む、
情報処理装置の製造方法。
【発明の詳細な説明】
【技術分野】
【０００１】
本願の開示する技術は、フィルム貼付装置、フィルム貼付方法、情報処理装置の製造装置、及び、情報処理装置の製造方法に関する。
【背景技術】
【０００２】
従来、例えば情報処理装置の表示部等の対象物にフィルムを貼り付けるための一手段として、フィルム貼付装置が知られている。このフィルム貼付装置のなかには、例えば、フィルムを吸着する吸着部材と、吸着部材に吸着されたフィルムを対象物に貼り付ける押付部材とを備えたものがある。このフィルム貼付装置では、押付部材がフィルムを対象物に押付ながらフィルムの一端側から他端側に相対移動することにより、フィルムが対象物に貼り付けられる。
【先行技術文献】
【特許文献】
【０００３】
【特許文献１】特開平１１−１７４２２８号公報
【特許文献２】特開２００９−１４５７９５号公報
【発明の概要】
【発明が解決しようとする課題】
【０００４】
しかしながら、上述のフィルム貼付装置では、押付部材がフィルムの他端側（貼付終端部）に到達する前に、フィルムの他端側が吸着部材から剥離して対象物に貼り付いてしまう虞がある。
【０００５】
そこで、本願の開示する技術は、一つの側面として、押付部材がフィルムの他端側に到達する前に、フィルムの他端側が吸着部材から剥離することを抑制できるようにすることを目的とする。
【課題を解決するための手段】
【０００６】
上記目的を達成するために、本願の開示する技術の一観点によれば、メッシュと、押付部材と、区画部材と、吸引部とを備えるフィルム貼付装置が提供される。メッシュには、対象物に貼り付けられるフィルムが載置される。このメッシュは、フィルムを介して対象物と対向される。
【０００７】
押付部材は、メッシュに対する対象物と反対側に配置される。この押付部材は、フィルムを対象物に押付ながらフィルムの一端側から他端側に相対移動し、フィルムを対象物に貼り付ける。区画部材は、メッシュに対する対象物と反対側の空間を、押付部材と共に押付部材の相対移動方向に区画する。吸引部は、空間のうち押付部材及び区画部材に対する他端側に位置する空間の空気を吸引する。
【発明の効果】
【０００８】
本願の開示する技術によれば、押付部材がフィルムの他端側に到達する前に、フィルムの他端側が吸着部材から剥離することを抑制できる。
【図面の簡単な説明】
【０００９】
【図１】フィルム貼付装置の平面図である。
【図２】フィルム貼付装置の側面図である。
【図３】表示部を有する情報処理装置の斜視図である。
【図４】表示部及びフィルムの斜視図である。
【図５】フィルム貼付装置を用いたフィルム貼付方法の第一説明図である。
【図６】フィルム貼付装置を用いたフィルム貼付方法の第二説明図である。
【図７】フィルム貼付装置を用いたフィルム貼付方法の第三説明図である。
【図８】図７の下図における押付部材の周辺部の拡大図である。
【図９】情報処理装置の製造装置を示すブロック図である。
【発明を実施するための形態】
【００１０】
以下、本願の開示する技術の一実施形態を説明する。
【００１１】
図１，図２に示される本実施形態のフィルム貼付装置１０（以降、貼付装置１０と略称する）は、対象物にフィルム６４（図２参照）を貼り付けるためのものである。本実施形態では、一例として、対象物を情報処理装置の表示部とする。情報処理装置は、例えば、スマートフォンやタブレット端末等である。
【００１２】
図３には、一例としてスマートフォンを想定した情報処理装置６０が示されている。タッチパネル６２は、「表示部」の一例であり、例えばガラス製とされている。このタッチパネル６２は、ＬＣＤ（liquid crystal display）モジュールに搭載される。本実施形態において、情報処理装置６０は、フィルム６４を含んで構成される。
【００１３】
フィルム６４は、例えばタッチパネル６２の破損時にガラス片が飛散したりタッチパネル６２の表面に擦傷が生じたりするのを防止するための飛散防止フィルム（ＡＳＦ：Anti-shatter Film）であり、タッチパネル６２の表面に貼り付けられる。このフィルム６４は、図４に示されるように、ハードコート層６６、ポリエステル製の基材６８、及び、粘着層７０を積層した構造とされており、タッチパネル６２と略同様の大きさ及び形状で形成される。
【００１４】
図１，図２に示されるように、貼付装置１０は、ステージ１２と、回動駆動部１４と、メッシュ１６と、押付スキージ１８と、ケース２０と、区画部材２２と、移動駆動部２４と、吸引部２６とを備える。押付スキージ１８は、「押付部材」の一例であり、区画部材２２は、「吸引抑制部」の一例である。
【００１５】
ステージ１２は、平面視にて長方形状の平板により形成されている。このステージ１２の大きさは、タッチパネル６２の大きさよりも大とされている。ステージ１２の保持面１２Ａには、タッチパネル６２を保持するためのクランプ２８が設けられている。
【００１６】
回動駆動部１４は、ステージ１２を回動させるためのものであり、モータ３０と、回動軸３２とを有する。モータ３０の出力軸には、回動軸３２が接続されており、回動軸３２は、ステージ１２の端部に固定されている。ステージ１２は、モータ３０の作動に伴って回動され、保持面１２Ａが上向きの開状態と、保持面１２Ａが下向きの閉状態とに切り替えられる。なお、以降、ステージ１２について開状態及び閉状態の特定が無い場合には、ステージ１２が閉状態とされていることとする。
【００１７】
メッシュ１６は、柔軟性を有する布材により形成されており、空気透過性を有する。メッシュ１６は、保持面１２Ａに保持されたタッチパネル６２の下方にタッチパネル６２と対向して配置される。このメッシュ１６の大きさは、フィルム６４の大きさよりも大とされており、このメッシュ１６には、フィルム６４が載置される。
【００１８】
押付スキージ１８は、メッシュ１６の下側に配置されている。この押付スキージ１８は、メッシュ１６に対するタッチパネル６２と反対側に配置される。この押付スキージ１８は、後述する如くメッシュ１６を介してフィルム６４をタッチパネル６２側に押圧するためのものであり、例えばゴムなどの弾性を有する材料により形成されている。
【００１９】
また、この押付スキージ１８は、図１に示されるように、タッチパネル６２の短手方向に延びる長尺状に形成されている。また、この押付スキージ１８は、図２に示されるように、側面視にて直角三角形状に形成されており、底面を下にして配置されている。押付スキージ１８の斜面１８Ａは、後述する移動駆動部２４によって移動される押付スキージ１８の移動方向の前側（矢印Ｆ側）に向けられている。
【００２０】
ケース２０は、図２に示されるように、タッチパネル６２側に開口する箱型に形成されており、メッシュ１６に対するタッチパネル６２と反対側（メッシュ１６の下側）に配置されている。このケース２０の開口３４には、上述のメッシュ１６が張設されている。つまり、開口３４の周縁部には、メッシュ１６がテンションを掛けられた状態で固定されている。このケース２０の開口３４とタッチパネル６２との間には、隙間が確保されている。また、このケース２０は、開口３４と対向する底面２０Ａと、タッチパネル６２の長手方向に延びる一対の側面２０Ｂ（図１参照）とを有する。
【００２１】
区画部材２２は、基部３６と、加圧部３８とを有する。加圧部３８は、基部３６に対するタッチパネル６２側に配置されており、基部３６に対してタッチパネル６２と接離する方向に移動する。この加圧部３８の先端部には、上述の押付スキージ１８が設けられている。加圧部３８と共に押付スキージ１８がタッチパネル６２側に移動されると、押付スキージ１８がフィルム６４及びメッシュ１６を介してタッチパネル６２に突き当たると共に、この押付スキージ１８がタッチパネル６２側に加圧される。
【００２２】
移動駆動部２４は、例えば空圧又は油圧シリンダ装置等とされており、ケース２０の内側に設けられている。この移動駆動部２４は、タッチパネル６２の長手方向に移動する可動部４０を有する。この可動部４０には、上述の区画部材２２の基部３６が設けられており、上述の押付スキージ１８は、可動部４０の移動に伴い区画部材２２と共にタッチパネル６２の長手方向に移動される。押付スキージ１８は、より具体的には、タッチパネル６２に貼り付けられるフィルム６４の一端６４Ａ側から他端６４Ｂ側（矢印Ｆ側）に移動される。
【００２３】
また、この押付スキージ１８と共に移動される区画部材２２は、押付スキージ１８と共にケース２０に収容されている。この区画部材２２は、押付スキージ１８と同様に、タッチパネル６２の短手方向に延びている（図１参照）。
【００２４】
図２に示されるように、押付スキージ１８及び区画部材２２における底面２０Ａとの対向面４２Ａは、ケース２０の底面２０Ａにそれぞれ接触されるか、又は、近接されている。同様に、図１に示されるように、押付スキージ１８及び区画部材２２における一対の側面２０Ｂとの対向面４２Ｂは、ケース２０の一対の側面２０Ｂにそれぞれ接触されるか、又は、近接されている。この場合の近接とは、接するほど近い状態を意味する。
【００２５】
そして、図２に示されるように、ケース２０内の空間４４は、押付スキージ１８及び区画部材２２によってタッチパネル６２の長手方向（押付スキージ１８の移動方向）に区画されている。つまり、ケース２０内の空間４４うち、押付スキージ１８及び区画部材２２に対するフィルム６４の一端６４Ａ側に位置する空間は、第一空間４６とされ、押付スキージ１８及び区画部材２２に対するフィルム６４の他端６４Ｂ側に位置する空間は、第二空間４８とされている。
【００２６】
また、ケース２０における第二空間４８側の側壁には、吸引口５０が形成されている。第一空間４６と吸引口５０との間には、押付スキージ１８及び区画部材２２が配置されており、この押付スキージ１８及び区画部材２２により、第一空間４６と吸引口５０との間は閉塞されている。一方、第二空間４８と吸引口５０とは連通されている。
【００２７】
吸引部２６は、例えば真空吸引装置等であり、接続部材等を介して吸引口５０に接続されている。吸引部２６が作動すると、第二空間４８の空気が吸引口５０を通じて吸引される。
【００２８】
次に、上述の貼付装置１０を用いたフィルム貼付方法について説明する。
【００２９】
先ず、図５の上図に示されるように、ステージ１２が開かれた状態（保持面１２Ａが上向きの状態）で、このステージ１２の保持面１２Ａにタッチパネル６２が載置される。また、タッチパネル６２は、クランプ２８によりステージ１２に固定される。さらに、メッシュ１６には、フィルム６４が載置される。
【００３０】
そして、図５の下図に示されるように、回動駆動部１４のモータ３０の作動に伴い、回動軸３２と共にステージ１２が回動されて、ステージ１２が閉じられた状態とされる。ステージ１２が閉じられると、図６の上図に示されるように、タッチパネル６２とメッシュ１６とがフィルム６４を介して対向される。
【００３１】
このとき、押付スキージ１８は、フィルム６４の一端６４Ａ側に予め移動された状態とされる。また、押付スキージ１８は、加圧部３８と共にタッチパネル６２側と反対側（下側）に退避した状態とされる。押付スキージ１８がタッチパネル６２側と反対側に退避した状態とされていても、押付スキージ１８の先端部は、メッシュ１６に当接されるので、ケース２０内の空間４４は、第一空間４６及び第二空間４８に区画される。
【００３２】
そして、上述のようにメッシュ１６にフィルム６４が載置されると、吸引部２６が作動され、第二空間４８の空気が吸引口５０を通じて吸引される。また、第二空間４８の空気が吸引口５０を通じて吸引されると、押付スキージ１８に対するフィルム６４の他端６４Ｂ側において、メッシュ１６を通じて第二空間４８内に空気が吸引され、フィルム６４がメッシュ１６に吸着される。
【００３３】
なお、第一空間４６と吸引口５０との間に配置された押付スキージ１８及び区画部材２２により、第一空間４６と吸引口５０との間は閉塞されている。従って、吸引部２６が作動しても、押付スキージ１８に対するフィルム６４の一端６４Ａ側では、メッシュ１６を通じた空気の吸引が抑制される。この場合の吸引の抑制には、吸引を阻止しようとするが僅かに吸引がされてしまう場合も含まれる。
【００３４】
続いて、図６の下図に示されるように、区画部材２２に設けられた加圧部３８がタッチパネル６２側（上側）に移動される。そして、加圧部３８と共に押付スキージ１８がタッチパネル６２側に移動されることで、押付スキージ１８がフィルム６４及びメッシュ１６を介してタッチパネル６２に突き当てられると共に、この押付スキージ１８がタッチパネル６２側に加圧される。
【００３５】
次いで、図７の上図から下図に示されるように、移動駆動部２４が作動されて、押付スキージ１８がフィルム６４の一端６４Ａ側から他端６４Ｂ側に移動される。このとき、押付スキージ１８は、メッシュ１６を介してフィルム６４をタッチパネル６２側に押圧しながら移動される。
【００３６】
そして、このようにして押付スキージ１８がフィルム６４の一端６４Ａ側から他端６４Ｂ側に移動されることで、フィルム６４が一端６４Ａ側から他端６４Ｂ側に順にタッチパネル６２に押し付けられ、フィルム６４がタッチパネル６２に貼り付けられる。また、このように押付スキージ１８によってフィルム６４がタッチパネル６２に貼り付けられるときには、区画部材２２が押付スキージ１８と共にフィルム６４の一端６４Ａ側から他端６４Ｂ側に移動される。
【００３７】
次に、本実施形態の作用及び効果について説明する。
【００３８】
先ず、本実施形態の作用及び効果を明確にするために、比較例について説明する。比較例としては、例えば、本実施形態の貼付装置１０から区画部材２２が省かれた例が挙げられる。区画部材２２が省かれた場合、ケース２０内の第一空間４６及び第二空間４８が連通される。第一空間４６及び第二空間４８が連通された状態では、押付スキージ１８に対するフィルム６４の他端６４Ｂ側に加えて、押付スキージ１８に対するフィルム６４の一端６４Ａ側においても、メッシュ１６を通じて空気が吸引される。
【００３９】
しかしながら、押付スキージ１８がフィルム６４の他端６４Ｂ側に移動し、フィルム６４の貼付が進行すると、押付スキージ１８に対するフィルム６４の一端６４Ａ側においては、メッシュ１６がその自重やテンション等によりフィルム６４から剥離する。このような剥離部分は、例えば、図７，図８の矢印Ａが指し示す箇所である。このように、押付スキージ１８に対するフィルム６４の一端６４Ａ側において、メッシュ１６がフィルム６４から剥離されると、この剥離部分にエアリークが生じる。
【００４０】
また、このように剥離部分にエアリークが生じると、この剥離部分においてメッシュ１６を通じて吸引される空気の量が増加する。その結果、ケース２０内の吸引圧力が低下し、押付スキージ１８に対するフィルム６４の他端６４Ｂ側において、メッシュ１６を通じて吸引される空気の量が減少するため、フィルム６４の他端６４Ｂ側に対する吸着力が低下する。
【００４１】
そして、フィルム６４の他端６４Ｂ側に対する吸着力が低下すると、押付スキージ１８がフィルム６４の他端６４Ｂ側（貼付終端部）に到達する前に、フィルム６４の他端６４Ｂ側がメッシュ１６から剥離してタッチパネル６２に貼り付いてしまう場合がある。この場合には、フィルム６４の他端６４Ｂ側においてタッチパネル６２とフィルム６４との間に気泡が生じる虞がある。
【００４２】
一方、以上の比較例に対し、本実施形態の貼付装置１０では、ケース２０内に、押付スキージ１８に加えて区画部材２２が設けられている。そして、この押付スキージ１８及び区画部材２２によって、ケース２０内の空間４４が、押付スキージ１８の移動方向に区画されている。また、この空間４４のうちフィルム６４の一端６４Ａ側に位置する第一空間４６と吸引口５０との間は、押付スキージ１８及び区画部材２２によって閉塞されている。従って、押付スキージ１８に対するフィルム６４の一端６４Ａ側では、メッシュ１６を通じた空気の吸引が抑制される。
【００４３】
このため、押付スキージ１８に対するフィルム６４の一端６４Ａ側において、メッシュ１６がその自重やテンション等によりフィルム６４から剥離しても、第二空間４８への影響を抑制できるので、第二空間４８内の吸引圧力の低下を抑制できる。これにより、押付スキージ１８に対するフィルム６４の他端６４Ｂ側において、メッシュ１６を通じて吸引される空気の量が確保されるので、フィルム６４の他端に対する吸着力を確保できる。
【００４４】
その結果、押付スキージ１８がフィルム６４の他端６４Ｂ側（貼付終端部）に到達する前に、フィルム６４の他端６４Ｂ側がメッシュ１６から剥離してタッチパネル６２に貼り付いてしまうことを抑制できる（図８参照）。これにより、フィルム６４の他端６４Ｂ側においてタッチパネル６２とフィルム６４との間に気泡が生じることを抑制できる。
【００４５】
しかも、区画部材２２を用いた簡単な構造で、押付スキージ１８に対するフィルム６４の一端６４Ａ側でのメッシュ１６を通じた空気の吸引を抑制できるので、コストアップを抑制できる。
【００４６】
また、メッシュ１６に対するタッチパネル６２と反対側には、ケース２０が配置されており、第二空間４８は、ケース２０によって囲まれて形成されている。従って、第二空間４８の気密性を高めることができるので、第二空間４８内の吸引圧力を確保できる。これにより、フィルム６４の他端６４Ｂ側に対する吸着力を向上させることができる。
【００４７】
また、押付スキージ１８及び区画部材２２には、ケース２０の底面２０Ａ及び一対の側面２０Ｂとの対向面４２Ａ，４２Ｂ（図１，図２参照）が形成されている。これら対向面４２Ａ，４２Ｂは、底面２０Ａ及び一対の側面２０Ｂにそれぞれ接触されるか、又は、近接されている。これにより、押付スキージ１８及び区画部材２２とケース２０との間の気密性、ひいては、第二空間４８の気密性を高めることができるので、第二空間４８内の吸引圧力をより向上させることができる。
【００４８】
また、押付スキージ１８は、区画部材２２に設けられており、区画部材２２は、押付スキージ１８と共にフィルム６４の他端６４Ｂ側に移動される。従って、図７の下図に示されるように、区画部材２２が押付スキージ１８と共にフィルム６４の他端６４Ｂ側に移動された場合には、第二空間４８の体積が減少し、この第二空間４８内の吸引圧力を高めることができる。これにより、フィルム６４の貼付の進行に伴いフィルム６４の他端６４Ｂ側に対する吸着力を向上させることができるので、フィルム６４の他端６４Ｂ側がメッシュ１６から剥離することをより一層効果的に抑制できる。
【００４９】
次に、本実施形態の変形例について説明する。
【００５０】
上記実施形態では、移動駆動部２４により、押付スキージ１８及び区画部材２２がフィルム６４の一端６４Ａ側から他端６４Ｂ側に移動される。しかしながら、押付スキージ１８及び区画部材２２が固定されると共に、メッシュ１６、ケース２０、及び、ステージ１２が移動されても良い。つまり、押付スキージ１８及び区画部材２２がフィルム６４の一端６４Ａ側から他端６４Ｂ側に相対移動されるのであれば、押付スキージ１８及び区画部材２２は、移動されても固定されてもどちらでも良い。
【００５１】
また、上記実施形態では、「押付部材」の一例として、押付スキージ１８（貼付スキージ）が用いられているが、「押付部材」の一例として、押付ローラ（貼付ローラ）が用いられても良い。
【００５２】
また、上記実施形態では、押付スキージ１８に対するフィルム６４の一端６４Ａ側でのメッシュ１６を通じた空気の吸引を抑制するために、押付スキージ１８と共にケース２０内の空間４４を区画する区画部材２２が「吸引抑制部」の一例として用いられている。しかしながら、「吸引抑制部」の一例として、例えば、押付スキージ１８に対するフィルム６４の一端６４Ａ側に設けられてメッシュ１６を覆うマスク部材などのように、区画部材２２以外の部材や構造が用いられても良い。
【００５３】
また、上記実施形態では、図６の上図に示されるように、押付スキージ１８がタッチパネル６２側と反対側（下側）に退避した状態では、押付スキージ１８の先端部がメッシュ１６に当接される。そして、ケース２０内の空間４４が押付スキージ１８及び区画部材２２によって第一空間４６及び第二空間４８に区画される。
【００５４】
しかしながら、押付スキージ１８がタッチパネル６２側と反対側（下側）に退避した状態では、押付スキージ１８の先端部がメッシュ１６から離間されることで第一空間４６と第二空間４８とが連通されても良い。そして、押付スキージ１８がタッチパネル６２側に移動されることで、押付スキージ１８の先端部がメッシュ１６に当接され、空間４４が第一空間４６及び第二空間４８に区画されても良い。
【００５５】
また、上記実施形態において、押付スキージ１８は、区画部材２２と別体とされているが、押付スキージ１８は、区画部材２２に一体に形成されていても良い。
【００５６】
また、上記実施形態では、フィルム６４がタッチパネル６２に貼り付けられてからタッチパネル６２が情報処理装置６０に組み付けられるが、情報処理装置６０に組み付けられたタッチパネル６２にフィルム６４が貼り付けられても良い。
【００５７】
また、情報処理装置６０は、出荷前の新品でも良く、また、出荷後にタッチパネル６２の交換等のために回収されたものでも良い。
【００５８】
また、上記実施形態では、フィルム６４の貼付対象物は、タッチパネル６２とされている。しかしながら、フィルム６４は、タッチパネル６２以外の表示部の表面に貼り付けられても良い。また、フィルム６４は、情報処理装置の表示部以外の対象物に貼り付けられても良い。
【００５９】
次に、上述の貼付装置１０を用いた情報処理装置の製造装置について説明する。
【００６０】
図９には、上述の貼付装置１０が適用された情報処理装置の製造装置１００がブロック図にて示されている。情報処理装置の製造装置１００は、フィルム貼付部１０２を有する。このフィルム貼付部１０２には、上述の貼付装置１０が適用される。
【００６１】
この情報処理装置の製造装置１００では、例えば、タッチパネル６２が情報処理装置６０に組み付けられた状態で、フィルム貼付部１０２にてタッチパネル６２にフィルム６４が貼り付けられる。なお、情報処理装置の製造装置１００では、フィルム貼付部１０２にてフィルム６４がタッチパネル６２に貼り付けられてから、タッチパネル６２の組付作業を含む情報処理装置６０の組立作業が行われても良い。
【００６２】
この情報処理装置の製造装置１００を用いた情報処理装置の製造方法において、フィルム貼付部１０２でのフィルム貼付方法は、上記実施形態にて説明した通りである。この情報処理装置の製造方法には、タッチパネル６２の組付作業を含む情報処理装置６０の組立作業が含まれても良い。
【００６３】
なお、ここでは、上述の貼付装置１０が適用されたフィルム貼付部１０２を備える情報処理装置の製造装置１００について説明した。しかしながら、本実施形態において、情報処理装置６０は、フィルム６４を含んで構成される。従って、タッチパネル６２が情報処理装置６０に組み付けられた状態で、上述の貼付装置１０によりタッチパネル６２にフィルム６４が貼り付けられる場合、貼付装置１０を情報処理装置の製造装置と捉えることも可能である。
【００６４】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００６５】
なお、上述の本願の開示する技術の一実施形態に関し、更に以下の付記を開示する。
【００６６】
（付記１）
対象物に貼り付けられるフィルムが載置され、前記フィルムを介して前記対象物と対向されるメッシュと、
前記メッシュを通じて空気を吸引して前記フィルムを前記メッシュに吸着させる吸引部と、
前記メッシュに対する前記対象物と反対側に配置され、前記フィルムを前記対象物に押付ながら前記フィルムの一端側から他端側に相対移動し、前記フィルムを前記対象物に貼り付ける押付部材と、
前記押付部材によって前記フィルムが前記対象物に貼り付けられるときに、前記押付部材に対する前記一端側での前記メッシュを通じた空気の吸引を抑制する吸引抑制部と、
を備えるフィルム貼付装置。
（付記２）
前記吸引抑制部は、前記メッシュに対する前記対象物と反対側の空間を、前記押付部材と共に前記押付部材の相対移動方向に区画する区画部材とされ、
前記吸引部は、前記空間のうち前記押付部材及び前記区画部材に対する前記他端側に位置する空間の空気を吸引する、
付記１に記載のフィルム貼付装置。
（付記３）
前記メッシュに対する前記対象物と反対側に配置されると共に、前記メッシュが張設された開口を有し、かつ、前記押付部材及び前記区画部材を収容するケースをさらに備える、
付記２に記載のフィルム貼付装置。
（付記４）
前記ケースは、前記開口と対向する底面、及び、前記押付部材の相対移動方向に延びる一対の側面を有し、
前記押付部材及び前記区画部材における前記底面及び前記一対の側面との対向面は、前記底面及び前記一対の側面にそれぞれ接触されるか、又は、近接されている、
付記３に記載のフィルム貼付装置。
（付記５）
前記開口と前記対象物との間には、隙間が確保される、
付記３又は付記４に記載のフィルム貼付装置。
（付記６）
前記ケースには、前記空間のうち前記押付部材及び前記区画部材に対する前記他端側に位置する空間と連通する吸引口が形成され、
前記吸引部は、前記吸引口を通じて空気を吸引する、
付記３〜付記５のいずれか一項に記載のフィルム貼付装置。
（付記７）
前記区画部材は、前記押付部材と共に相対移動する、
付記２〜付記６のいずれか一項に記載のフィルム貼付装置。
（付記８）
前記押付部材は、前記区画部材に設けられている、
付記７に記載のフィルム貼付装置。
（付記９）
前記押付部材及び前記区画部材を移動させる移動駆動部をさらに備える、
付記７又は付記８に記載のフィルム貼付装置。
（付記１０）
前記区画部材は、
前記移動駆動部の可動部に設けられた基部と、
前記押付部材が設けられると共に、前記基部に対して前記対象物側に移動し、前記押付部材を前記対象物側に加圧する加圧部とを有する、
付記９に記載のフィルム貼付装置。
（付記１１）
前記押付部材は、押付スキージである、
付記１〜付記１０のいずれか一項に記載のフィルム貼付装置。
（付記１２）
前記メッシュは、柔軟性を有する布材である、
付記１〜付記１１のいずれか一項に記載のフィルム貼付装置。
（付記１３）
前記対象物を保持するステージをさらに備える、
付記１〜付記１２のいずれか一項に記載のフィルム貼付装置。
（付記１４）
対象物に貼り付けられるフィルムをメッシュに載置すると共に、前記フィルムを介して前記メッシュと前記対象物とを対向させ、
前記メッシュを通じて空気を吸引して前記フィルムを前記メッシュに吸着させ、
前記メッシュに対する前記対象物と反対側に配置された押付部材で前記フィルムを前記対象物に押付ながら前記押付部材を前記フィルムの一端側から他端側に相対移動させて、前記フィルムを前記対象物に貼り付けると共に、前記押付部材によって前記フィルムを前記対象物に貼り付けるときに、前記押付部材に対する前記一端側での前記メッシュを通じた空気の吸引を抑制することを含む、
フィルム貼付方法。
（付記１５）
情報処理装置の表示部に貼り付けられるフィルムが載置され、前記フィルムを介して前記表示部と対向されるメッシュと、
前記メッシュを通じて空気を吸引して前記フィルムを前記メッシュに吸着させる吸引部と、
前記メッシュに対する前記表示部と反対側に配置され、前記フィルムを前記表示部に押付ながら前記フィルムの一端側から他端側に相対移動し、前記フィルムを前記表示部に貼り付ける押付部材と、
前記押付部材によって前記フィルムが前記表示部に貼り付けられるときに、前記押付部材に対する前記一端側での前記メッシュを通じた空気の吸引を抑制する吸引抑制部と、
を備える情報処理装置の製造装置。
（付記１６）
情報処理装置の表示部に貼り付けられるフィルムをメッシュに載置すると共に、前記フィルムを介して前記メッシュと前記表示部とを対向させ、
前記メッシュを通じて空気を吸引して前記フィルムを前記メッシュに吸着させ、
前記メッシュに対する前記表示部と反対側に配置された押付部材で前記フィルムを前記表示部に押付ながら前記押付部材を前記フィルムの一端側から他端側に相対移動させて、前記フィルムを前記表示部に貼り付けると共に、前記押付部材によって前記フィルムを前記表示部に貼り付けるときに、前記押付部材に対する前記一端側での前記メッシュを通じた空気の吸引を抑制することを含む、
情報処理装置の製造方法。
【符号の説明】
【００６７】
１０  フィルム貼付装置（貼付装置）
１６  メッシュ
１８  押付スキージ（押付部材の一例）
２０  ケース
２０Ａ  底面
２０Ｂ  側面
２２  区画部材（吸引抑制部の一例）
２６  吸引部
４２Ａ，４２Ｂ  対向面
４４  空間
４６  第一空間
４８  第二空間
５０  吸引口
６０  情報処理装置
６２  タッチパネル（表示部、対象物の一例）
６４  フィルム
６４Ａ  一端
６４Ｂ  他端
１００  情報処理装置の製造装置
【図１】
0006528458.tif 000002
【図２】
0006528458.tif 000003
【図３】
0006528458.tif 000004
【図４】
0006528458.tif 000005
【図５】
0006528458.tif 000006
【図６】
0006528458.tif 000007
【図７】
0006528458.tif 000008
【図８】
0006528458.tif 000009
【図９】
0006528458.tif 000010